(57)【特許請求の範囲】
【請求項１】
液晶ディスプレイパネルと、前記液晶ディスプレイパネルの背面に設けられたバックライト照明装置を有し、
前記バックライト照明装置は、複数の冷陰極蛍光ランプと複数の駆動回路を備え、
前記複数の冷陰極蛍光ランプは、互いに平行に所定のパターンで配置され、
前記複数の駆動回路は、前記複数の冷陰極蛍光ランプの配列方向に平行に、かつ配列された冷陰極蛍光ランプの少なくとも一方の端部側に設けられた液晶表示装置において、
前記冷陰極蛍光ランプの端部の電極と前記駆動回路を接続する２本のケーブルは、絶縁被覆電線の外側を熱収縮性の絶縁性チューブでさらに覆うことによって形成され、それによって絶縁性がさらに向上すると共に、絶縁被覆電線単体の場合よりも変形しにくくなり、
各ケーブルの前記冷陰極蛍光ランプ側端部は、それぞれ電極にはんだ付けされており、各ケーブルの前記駆動回路側端部は所定の絶縁距離を隔てて設けられたコネクタの２つの端子にそれぞれ接続され、各ケーブルの長さが前記所定の絶縁距離の略５倍から略１５倍の範囲内であり、それによって、前記冷陰極蛍光ランプの端部の電極と前記駆動回路とを接続する２本のケーブルが一定の距離以下に接近しないように保持され、
２本のケーブル間に発生する静電容量の影響を低減し、２本のケーブル間での漏れ電流を低減し、前記冷陰極蛍光ランプの輝度を安定させたことを特徴とする液晶表示装置。
【請求項２】
液晶ディスプレイパネルと、前記液晶ディスプレイパネルの背面に設けられたバックライト照明装置を有し、
前記バックライト照明装置は、冷陰極蛍光ランプとその駆動回路を備えた液晶表示装置において、
前記冷陰極蛍光ランプの端部の電極と前記駆動回路を接続する２本のケーブルは、それぞれ絶縁被覆電線の外側を熱収縮性の絶縁性チューブでさらに覆うことによって形成され、
各ケーブルの前記冷陰極蛍光ランプ側端部は、それぞれ電極にはんだ付けされており、各ケーブルの前記駆動回路側端部は所定の絶縁距離を隔てて設けられたコネクタの２つの端子にそれぞれ接続され、それによって、前記冷陰極蛍光ランプの端部の電極と前記駆動回路とを接続する２本のケーブルが一定の距離以下に接近しないように保持されたことを特徴とする液晶表示装置。
【請求項３】
前記２本のケーブルの長さが前記所定の絶縁距離の略５倍から略１５倍の範囲内であることを特徴とする請求項２に記載の液晶表示装置。
【発明の詳細な説明】
【技術分野】
【０００１】
本発明は、液晶表示装置、特にそのバックライト照明装置に関する。
【背景技術】
【０００２】
近年、３０インチを超える大画面サイズの液晶表示装置が実用化されている。これら大画面サイズの液晶表示装置では、画面の明るさを均一にするために、複数の冷陰極蛍光ランプ（cold-cathode fluorescent lamp 以下、ＣＣＦＬと略称する）が使用されている。ところで、１つの駆動回路で複数のＣＣＦＬを制御すると、すなわち、全ＣＣＦＬを直列接続して同じ波形で駆動すると、各ＣＣＦＬに流れる電流に位相がずれ、各ＣＣＦＬの輝度が異なる結果を生ずる。そのため、一般的には、各ＣＣＦＬをそれぞれ独立した駆動回路で駆動するように構成されている。
【０００３】
駆動回路は、直流電源電圧を４０〜８０ｋＨｚの交流波形に変換するＤＣ／ＡＣインバータ回路であり、ＣＣＦＬには５００〜１０００ＶＲＭＳ程度（ＲＭＳ：実効値）の高電圧（電流値７ｍＡ程度）が印加される。そのため、従来から、駆動回路とＣＣＦＬを接続するためのケーブルとして絶縁性に優れたケーブルが使用されている。
【０００４】
このように絶縁性に優れたケーブルを使用しても、実際に液晶表示装置を組み立てる際に２本のケーブルが接近しすぎると、ケーブル間のカップリングにより漏れ電流が発生し、ＣＣＦＬに流れる電流値が安定せず、ＣＣＦＬの輝度が不安定になる可能性がある。すなわち、２本のケーブルが接近しすぎると、２本のケーブルがコンデンサとして作用し、これら２本のケーブルの間に静電容量が発生する。そして、２本のケーブルにそれぞれ流れる電流の位相が異なると、コンデンサの端子電圧が変化し、ケーブル間で漏れ電流が流れる。あたかも、ＣＣＦＬにコンデンサを並列に挿入した状態となる。そのため、漏れ電流分だけＣＣＦＬに流れる電流が低下する。しかも、漏れ電流の値は一定でないので、ＣＣＦＬに流れる電流値が不安定になり、ＣＣＦＬの輝度が不安定になる。
【０００５】
特許文献１では、上記漏れ電流を低減させるために、１つのＣＣＦＬの両端の電極に接続される４本のケーブルを、２本ずつ熱収縮性を有する絶縁性チューブで束ね、さらに、２本ずつ束ねた２組のケーブル（計４本）を、さらに熱収縮性を有する絶縁性チューブで束ねるように構成している。しかしながら、このような構成によれば、事実上ケーブルの絶縁樹脂層を厚くしただけであって、複数のケーブルが接近して配置されることには変わりない。そのため、漏れ電流による影響を低減できるけれども、ある程度のＣＣＦＬの輝度の不安定さは避けられない。
【０００６】
【特許文献１】特開２００２ー３６７４２５号公報
【発明の開示】
【発明が解決しようとする課題】
【０００７】
本発明は、上記従来例の問題を解決するためになされたものであり、簡単かつ低コストでありながら、ＣＣＦＬの端部に設けられた電極と駆動回路を接続する２本のケーブル間での漏れ電流の影響を大幅に低減しうるバックライト照明装置を備えた液晶表示装置を提供することを目的とする。
【課題を解決するための手段】
【０００８】
上記目的を達成するために請求項１の発明は、液晶ディスプレイパネルと、前記液晶ディスプレイパネルの背面に設けられたバックライト照明装置を有し、
前記バックライト照明装置は、複数の冷陰極蛍光ランプと複数の駆動回路を備え、
前記複数の冷陰極蛍光ランプは、互いに平行に所定のパターンで配置され、
前記複数の駆動回路は、前記複数の冷陰極蛍光ランプの配列方向に平行に、かつ配列された冷陰極蛍光ランプの少なくとも一方の端部側に設けられた液晶表示装置において、
前記冷陰極蛍光ランプの端部の電極と前記駆動回路を接続する２本のケーブルは、絶縁被覆電線の外側を熱収縮性の絶縁性チューブでさらに覆うことによって形成され、それによって絶縁性がさらに向上すると共に、絶縁被覆電線単体の場合よりも変形しにくくなり、
各ケーブルの前記冷陰極蛍光ランプ側端部は、それぞれ電極にはんだ付けされており、各ケーブルの前記駆動回路側端部は所定の絶縁距離を隔てて設けられたコネクタの２つの端子にそれぞれ接続され、各ケーブルの長さが前記所定の絶縁距離の略５倍から略１５倍の範囲内であり、それによって、前記冷陰極蛍光ランプの端部の電極と前記駆動回路とを接続する２本のケーブルが一定の距離以下に接近しないように保持され、
２本のケーブル間に発生する静電容量の影響を低減し、２本のケーブル間での漏れ電流を低減し、前記冷陰極蛍光ランプの輝度を安定させたことを特徴とする。
【０００９】
請求項２の発明は、液晶ディスプレイパネルと、前記液晶ディスプレイパネルの背面に設けられたバックライト照明装置を有し、
前記バックライト照明装置は、冷陰極蛍光ランプとその駆動回路を備えた液晶表示装置において、
前記冷陰極蛍光ランプの端部の電極と前記駆動回路を接続する２本のケーブルは、それぞれ絶縁被覆電線の外側を熱収縮性の絶縁性チューブでさらに覆うことによって形成され、
各ケーブルの前記冷陰極蛍光ランプ側端部は、それぞれ電極にはんだ付けされており、各ケーブルの前記駆動回路側端部は所定の絶縁距離を隔てて設けられたコネクタの２つの端子にそれぞれ接続され、それによって、前記冷陰極蛍光ランプの端部の電極と前記駆動回路とを接続する２本のケーブルが一定の距離以下に接近しないように保持されたことを特徴とする。
【００１０】
請求項３の発明は、請求項２に記載の液晶表示装置において、前記２本のケーブルの長さが前記所定の絶縁距離の略５倍から略１５倍の範囲内であることを特徴とする。
【発明の効果】
【００１１】
請求項１の発明によれば、第１に冷陰極蛍光ランプの電極と駆動回路を接続するケーブルとして、従来の絶縁被覆電線の外側を熱収縮性の絶縁性チューブでさらに覆うことによって形成されたものを用いることにより、新たに専用のものを用意する必要がなく、ケーブルのコストを抑制することができる。また、絶縁被覆電線の外側を熱収縮性の絶縁性チューブでさらに覆うことにより、絶縁性がさらに向上すると共に、絶縁被覆電線単体の場合よりも剛性が高くなり、変形しにくくなる。
【００１２】
第２に、各ケーブルの前記冷陰極蛍光ランプ側端部がそれぞれ電極にはんだ付けされ、各ケーブルの駆動回路側端部は所定の絶縁距離を隔てて設けられたコネクタの２つの端子にそれぞれ接続されているので、２本のケーブルが冷陰極蛍光ランプの電極とコネクタによって一定の位置関係、例えば略平行に保持される。そして、各ケーブルの長さが所定の絶縁距離の略５倍から略１５倍の範囲内であり、上記のように従来の絶縁被覆電線よりも剛性が高くなっているので、コネクタを駆動回路に接続するためにケーブルを曲げても、２本のケーブルの距離が電極とコネクタの途中で狭くなるようなこともなく、一定の距離以下に接近しないように保持される。その結果、２本のケーブル間に発生する静電容量が小さくなり、かつ安定し、静電容量の影響が低減され、２本のケーブル間での漏れ電流が低減される。そして、冷陰極蛍光ランプの輝度が安定する。
【００１３】
請求項２の発明によれば、冷陰極蛍光ランプの電極と駆動回路を接続するケーブルとして、従来の絶縁被覆電線の外側を熱収縮性の絶縁性チューブでさらに覆うことによって形成されたものを用いることにより、新たに専用のものを用意する必要がなく、ケーブルのコストを抑制することができる。また、絶縁被覆電線の外側を熱収縮性の絶縁性チューブでさらに覆うことにより、絶縁性がさらに向上すると共に、絶縁被覆電線単体の場合よりも剛性が高くなり、変形しにくくなる。また、各ケーブルの前記冷陰極蛍光ランプ側端部がそれぞれ電極にはんだ付けされ、各ケーブルの駆動回路側端部は所定の絶縁距離を隔てて設けられたコネクタの２つの端子にそれぞれ接続されているので、２本のケーブルが冷陰極蛍光ランプの電極とコネクタによって一定の位置関係に保持されるので、２本のケーブルの距離を一定の距離以下に接近しないように保持することができる。その結果、２本のケーブル間に発生する静電容量が小さくなり、かつ安定し、静電容量の影響が低減され、２本のケーブル間での漏れ電流が低減される。そして、冷陰極蛍光ランプの輝度が安定する。
【００１４】
請求項３の発明によれば、上記のように従来の絶縁被覆電線よりも剛性が高くなっている上に、２本のケーブルの長さが前記所定の絶縁距離の略５倍から略１５倍の範囲内であるので、コネクタを駆動回路に接続するためにケーブルを曲げても、２本のケーブルの距離が電極とコネクタの途中で狭くなるようなこともなく、一定の距離以下に接近しないように保持することができる。
【発明を実施するための最良の形態】
【００１５】
本発明の一実施形態に係る液晶表示装置について、図面を参照しつつ説明する。図１は、本実施形態に係る液晶表示装置１の構成を示す分解斜視図である。本実施形態に係る液晶表示装置１は、例えば３０インチ以上の大画面サイズの液晶テレビであり、液晶ディスプレイパネル１０と、液晶ディスプレイパネル１０の背面に設けられたバックライト照明装置２０を有している。バックライト照明装置２０は、例えば複数の光拡散シート２１及び光拡散板２２と、互いに平行に所定のパターン（例えば、等間隔）で配置された複数の冷陰極蛍光ランプ（ＣＣＦＬ）２３と、ＣＣＦＬ２３の背面に設けられた反射板２４と、光拡散シート２１、光拡散板２２、ＣＣＦＬ２３、反射板２４などを収容するフレーム２５と、ＣＣＦＬ２３に対応して設けられた複数の駆動回路２７を備えている。液晶ディスプレイパネル１０は、ベゼル１１を介して、フレーム２５にねじなどにより固定されている。
【００１６】
一般的に、液晶表示装置１が２０インチ程度以下の小型の場合、ＣＣＦＬ２３としてＵ字管を用いることができるので、複数のＣＣＦＬ２３の両端の電極を全て同じ側に揃えることができる。そのため、複数の駆動回路２７は、ＣＣＦＬ２３の配列方向に平行に、かつ配列されたＣＣＦＬ２３の一方の端部側にのみ設けられている。ところが、液晶表示装置１が３０インチ程度の大型になると、ＣＣＦＬ２３としてＵ字管を用いることができず、図１に示すような直管を用いることになる。その場合は、複数の駆動回路２７は、ＣＣＦＬ２３の配列方向に平行に、かつ配列されたＣＣＦＬ２３の両側の端部側に設けられる。
【００１７】
図２は、本実施形態におけるＣＣＦＬ２３の端部の電極と駆動回路２７とを接続するためのケーブル３０の構成を示す。図２に示すように、各ケーブル３０は、それぞれ絶縁被覆電線３１の外側を熱収縮性の絶縁性チューブ３２でさらに覆うことによって形成され、それによって絶縁性がさらに向上すると共に、絶縁被覆電線３１単体の場合よりも変形しにくくなっている。各ケーブル３０のＣＣＦＬ２３側端部３３は、それぞれ電極にはんだ付けされ易いように、芯線が略環状に形成されている。また、各ケーブル３０の駆動回路２７側端部は所定の絶縁距離Ｌ１を隔てて設けられたコネクタ４０の２つの端子４１にそれぞれ接続されている。
【００１８】
図３は、ＣＣＦＬ２３の一方の端部の電極４２にケーブル３０のＣＣＦＬ２３側端部３３がはんだ付けされた状態を示す。図３に示す例では、ＣＣＦＬ２３の電極４２の間の距離をコネクタ４０の端子４１の間隔とほぼ等しくし、２本のケーブル３０が略平行に保持されている。なお、ＣＣＦＬ２３の電極４２の間の距離は、必ずしもコネクタ４０の端子４１の間隔とほぼ等しくする必要はなく、それよりも広くてもよいし、逆に狭くしてもよい。
【００１９】
発明者が試作したものは、各ケーブル３０（絶縁性チューブ３２）の外径が約２ｍｍ、コネクタ４０の端子４１の先端からＣＣＦＬ２３側端部３３までの長さＬ２が約８０ｍｍ、コネクタ４０の端子４１の間隔、すなわち所定の絶縁距離Ｌ１が約８ｍｍであった。上記のように、ＣＣＦＬ２３の電極には５００〜１０００ＶＲＭＳ程度の高電圧が印加されるため、回路基板上における所定の絶縁距離Ｌ１及びＣＣＦＬ２３の電極４２の間の距離は、ある程度限定されている。ケーブル３０の直径が一定であるという前提で、ケーブル３０の全長が長くなると、ケーブル３０が変形しやすくなる傾向にあり、ＣＣＦＬ２３の端部の電極と駆動回路２７とを接続する２本のケーブル３０が一定の距離以下に接近する可能性がある。逆に、ケーブル３０の全長が短くなると、ケーブル３０が変形しにくくなる傾向にあり、コネクタの４０接続作業性を損なう。そのため、簡単な実験を行ったところ、各ケーブル３０の長さＬ２が所定の絶縁距離Ｌ１の略５倍から略１５倍程度の範囲内であれば、コネクタの４０接続作業性を損なうことなく、２本のケーブル３０を一定の距離の範囲に保持しうることを確認した。
【００２０】
以上説明したように、本実施形態に係る液晶表示装置１によれば、ＣＣＦＬ２３の電極４２と駆動回路２７を接続するケーブル３０として、従来の絶縁被覆電線３１の外側を熱収縮性の絶縁性チューブ３２でさらに覆うことによって形成されたものを用いることにより、新たに専用のものを用意する必要がなく、ケーブル３０のコストを抑制することができる。また、絶縁被覆電線３１の外側を熱収縮性の絶縁性チューブ３２でさらに覆うことにより、絶縁性がさらに向上すると共に、絶縁被覆電線３１単体の場合よりも剛性が高くなり、変形しにくくなる。
【００２１】
また、各ケーブル３０のＣＣＦＬ２３側端部３３がそれぞれＣＣＦＬ２３の電極４２にはんだ付けされ、各ケーブル３０の駆動回路２７側端部は所定の絶縁距離Ｌ１を隔てて設けられたコネクタ４０の２つの端子４１にそれぞれ接続されているので、２本のケーブル３０がＣＣＦＬ２３の電極４２とコネクタ４０によって一定の位置関係、例えば略平行に保持される。さらに、各ケーブル３０の長さＬ２を、所定の絶縁距離Ｌ１の略５倍から略１５倍の範囲内とし、上記のように従来の絶縁被覆電線３１単体の場合よりも剛性が高くなっているので、コネクタ４０を駆動回路２７に接続するためにケーブル３０を曲げても、２本のケーブル３０の距離が電極４２とコネクタ４０の途中で狭くなるようなこともなく、一定の距離以下に接近しないように保持される。その結果、２本のケーブル３０間に発生する静電容量が小さくなり、かつ安定し、静電容量の影響が低減され、２本のケーブル３０間での漏れ電流が低減される。そして、ＣＣＦＬ２３の輝度が安定する。
【００２２】
なお、駆動回路２７の配置などにより、ケーブル３０の長さを上記範囲よりも長くしなければならないときは、図４に示すように、２本のケーブル３０の間に、一定間隔で絶縁樹脂製のスペーサ４５を装着してもよい。それより、スペーサ４５の間で、２本のケーブル３０の距離を一定に保持することができる。
【００２３】
さらに、本発明は上記実施形態の構成に限定されるものではなく、液晶ディスプレイパネルと、液晶ディスプレイパネルの背面に設けられたバックライト照明装置を有し、バックライト照明装置は、冷陰極蛍光ランプ（ＣＣＦＬ）とその駆動回路を備えた液晶表示装置において、ＣＣＦＬの端部の電極と駆動回路を接続する２本のケーブルは、それぞれ絶縁被覆電線の外側を熱収縮性の絶縁性チューブでさらに覆うことによって形成され、各ケーブルのＣＣＦＬ側端部は、それぞれ電極にはんだ付けされており、各ケーブルの駆動回路側端部は所定の絶縁距離を隔てて設けられたコネクタの２つの端子にそれぞれ接続され、それによって、ＣＣＦＬの端部の電極と駆動回路とを接続する２本のケーブルが一定の距離以下に接近しないように保持されていればよい。
【図面の簡単な説明】
【００２４】
【図１】本発明の一実施形態に係る液晶表示装置の構成を示す分解斜視図。
【図２】上記一実施形態におけるＣＣＦＬの電極と駆動回路を接続するためのケーブルの構成を示す図。
【図３】上記一実施形態において、ケーブルをＣＣＦＬの電極と駆動回路に接続した状態を示す図。
【図４】上記一実施形態における変形例を示す図。
【符号の説明】
【００２５】
１  液晶表示装置
１０  液晶ディスプレイパネル
２０  バックライト照明装置
２３  冷陰極線蛍光ランプ（ＣＣＦＬ）
２７  駆動回路
３０  ケーブル
３１  絶縁性チューブ
３２  絶縁被覆電線
３３  ケーブルのＣＣＦＬ側端部
４０  コネクタ
４１  端子
４２  ＣＣＦＬの電極
Ｌ１  所定の絶縁距離
Ｌ２  ケーブルの長さ
【図１】
0004586767.tif 000002
【図２】
0004586767.tif 000003
【図３】
0004586767.tif 000004
【図４】
0004586767.tif 000005